(57)【要約】【課題】取付具を要することなく、キャビネット内に簡易に配線処理具を取り付けることができ、且つ電気機器をキャビネット本体内に設置した状態における見栄えをよくすることができるキャビネットの配線構造を提供する。【解決手段】棚板４を備えたキャビネット１の配線構造であって、前記棚板には機器配線７０を挿通させる貫通孔４０が形成され、前記貫通孔には、前記機器配線を挿通させる中空の筒体部６０と、該筒体部から外鍔状に延設された鍔部６１とを有する配線保持具６が設けられていることを特徴とする。【選択図】図１
2011024877.tif 000002
【特許請求の範囲】
【請求項１】
棚板を備えたキャビネットの配線構造であって、
前記棚板には機器配線を挿通させる貫通孔が形成され、
前記貫通孔には、前記機器配線を挿通させる中空の筒体部と、該筒体部から外鍔状に延設された鍔部とを有する配線保持具が設けられていることを特徴とするキャビネットの配線構造。
【請求項２】
請求項１において、
前記配線保持具の前記筒体部は、前記棚板の前記貫通孔に嵌合されるように形成されていることを特徴とするキャビネットの配線構造。
【請求項３】
請求項１又は請求項２において、
前記貫通孔の鉛直方向に沿って設けられるダクト部を備え、
該ダクト部は、前記配線保持具に設けられた係止部に係止されていることを特徴とするキャビネットの配線構造。
【請求項４】
請求項３において、
前記ダクト部は、前記配線保持具の前記筒体部との間に断面視して配線スペースが形成されるように配設されていることを特徴とするキャビネットの配線構造。
【請求項５】
請求項１〜請求項４に記載のいずれか１項において、
前記配線保持具の前記筒体部には、配線取り出し用の切欠孔部が形成されていることを特徴とするキャビネットの配線構造。
【発明の詳細な説明】
【技術分野】
【０００１】
本発明は、棚板を備えたキャビネットの配線構造に関する。
【背景技術】
【０００２】
従来より、ＡＶ（オーディオヴィジュアル）機器、ゲーム機、照明器具などの電気機器を収納できるキャビネットに電気機器の機器配線を体裁よく配設できるよう配線構造を持たせたものが知られている。
下記特許文献１には、キャビネット本体内を上下に仕切る棚板が設けられたキャビネットの配線構造が開示されている。
ここには、上下端が開口する配線カバーが配線可能な間隙が形成されるようにキャビネット本体内の内側面に設けられ、配線カバーの下端開口の対向位置となる棚板に配線挿通部が形成されたキャビネットの配線構造が記載されている。
これによれば、キャビネット本体の側板などに加工を施したりすることなく、配線カバーによって配線空間を形成することができるとされている。
【先行技術文献】
【特許文献】
【０００３】
【特許文献１】特開２００４−１５９７６６号公報
【発明の概要】
【発明が解決しようとする課題】
【０００４】
しかしながら、上記特許文献１に記載の配線構造は、配線カバーをキャビネット本体の側板に形成された取付穴にねじ止めする構造となっているため、側板に予め取付穴を形成しておく必要があり、ねじなどの取付具を使わなければ配線カバーを取り付けることができない。
また、上記特許文献１に記載の配線構造は、配線カバーと配線挿通孔との間には配線を取り出すための間隙が設けられており、その間隙から配線が露出した状態となるため、電気機器をキャビネット本体内に設置した状態における見栄えがよい配線構造とはいえない。
【０００５】
本発明は、上記実情に鑑みなされたものであり、取付具を要することなく、キャビネット内に簡易に配線処理具を取り付けることができ、且つ電気機器をキャビネット本体内に設置した状態における見栄えをよくすることができるキャビネットの配線構造を提供する。
【課題を解決するための手段】
【０００６】
本発明に係るキャビネットの配線構造は、棚板を備えたキャビネットの配線構造であって、前記棚板には機器配線を挿通させる貫通孔が形成され、前記貫通孔には、前記機器配線を挿通させる中空の筒体部と、該筒体部から外鍔状に延設された鍔部とを有する配線保持具が設けられていることを特徴とする。
これによれば、棚板の貫通孔に配線処理器具である配線保持具をねじなどの取付具を要することなく、キャビネット内に取り付けることができ、電気機器をキャビネット本体内に設置した状態における見栄えをよくすることができる。
【０００７】
本発明に係るキャビネットの配線構造に用いられる前記配線保持具の前記筒体部は、前記棚板の前記貫通孔にか嵌合されるように形成されているものとしてもよい。
これによれば、筒体部が棚板の貫通孔に隠れてみえないので、棚板をすっきりと構成することができ、見栄えがよいものとすることができる。
【０００８】
また本発明に係るキャビネットの配線構造において、貫通孔の鉛直方向に沿って設けられるダクト部を備え、該ダクト部は、前記配線保持具に設けられた係止部に係止されているものとしてもよい。
これによれば、ダクト部によって機器配線を隠すことができるので、体裁よく機器配線の配設を行うことができる。またダクト部をねじなどの取付具を要することなく、キャビネット内に簡易に取り付けることができる。
【０００９】
更に本発明に係るキャビネットの配線構造においてダクト部は、前記配線保持具の筒体部との間に断面視して配線スペースが形成されるように配設されているものとしてもよい。
これによれば、ダクト部と配線保持具の筒体部との間に配線スペースが形成されるので、ダクト部内への機器配線の引き込み或いはダクト部から機器配線を取り出しやすい構造とすることができる。
【００１０】
そして本発明に係るキャビネットの配線構造において、前記配線保持具の筒体部には、配線取り出し用の切欠孔部が形成されているものとしてもよい。
これによれば、切欠孔部から機器配線をスムーズに取り出すことができる。
【発明の効果】
【００１１】
本発明に係るキャビネットの配線構造は、ねじなどの取付具を要することなく、配線処理具（配線保持具、ダクト部）をキャビネット内に取り付けることができる。またこれら配線処理具によって機器配線を体裁よく配設することができるので、電気機器をキャビネット本体内に設置した状態における見栄えをよくすることができる。
【図面の簡単な説明】
【００１２】
【図１】本発明に係るキャビネットの配線構造における第１の実施形態を模式的に示す斜視図である。
【図２】（ａ）は同キャビネットの配線構造に用いられる配線保持具の全体斜視図、（ｂ）は図１の一部横断面図である。
【図３】同キャビネットの配線構造に用いられる配線保持具及びダクト部の配設状況を背面からみた斜視図である。
【図４】同キャビネットの配線構造の一例を示す全体斜視図である。
【図５】本発明に係るキャビネットの配線構造における第２の実施形態を模式的に示す斜視図である。
【図６】本発明に係るキャビネットの配線構造における第２の実施形態における変形例を模式的に示す斜視図である。
【発明を実施するための形態】
【００１３】
以下に本発明の実施の形態について、図面に基づいて説明する。
まず本発明に係るキャビネットの配線構造における第１の実施形態について図１〜図４を参照しながら説明する。
なお、図１では説明のため、電気機器７の図示を省略しており、また図１は図４における高さの低いキャビネット１における中段を一部拡大して示した図である。
キャビネット1の配線構造に用いられる配線保持具６は、棚板４に形成された配線挿通用の貫通孔４０に配設される。
配線保持具６は、棚板４の上に設置された電気機器７の機器配線７０を挿通させる中空の筒体部６０と、該筒体部６０から外鍔状に延設され且つ筒体部６０の配線挿通方向における一方の縁部に形成され、貫通孔４０の周縁に係止される鍔部６１とを備えている。
キャビネット１のキャビネット本体２内には、キャビネット本体２内の上下方向に配線される機器配線７０が挿通されこれを被覆するダクト部９が設けられており、ダクト部９は配線保持具６の係止部８によって係止されている。
【００１４】
本実施形態において配線構造が採用されるキャビネット１としては、高さの異なる２個のキャビネット１によりシステムキャビネット１００を構成し、それぞれのキャビネット１は互いに隣合う側板２１が接するよう壁面１１に沿って床面１０の上に設置されるものが挙げられる。
高さの高いキャビネット１（図３の紙面右側）の上方は、開閉自在に構成された扉体５を備えた収納部、その下方は扉体のない前方が開口され棚板４を備えたオープンラック式の収納部となっており、高さの低い収納キャビネット１（紙面左側）は、棚板４を備えたオープンラック式の収納部で構成されている。
収納部の棚板４には、ＤＶＤデッキ、アンプ、スピーカーなどのＡＶ機器やゲーム機、ＦＡＸ機、プリンタ、照明器具などの電気機器７の他、本や小物などが収納できる収納空間となっており、その構成は図例に限らず引出しを備えたものとしてもよいし、左右方向に空間を仕切る仕切板を備えたものとしてもよい。
以下では高さの低い方のキャビネット１を参照して本実施形態の配線構造について説明する。
【００１５】
キャビネット１のキャビネット本体２は、上部に配された天板２０、左右に配された側板２１と、背面側に配された背板２２と、底部に配された底板２４と上下に空間を仕切る棚板４を備え、前方に開口する箱状とされている。棚板４の上には、電気機器７が載置されている。また底部に配された底板２４の下部領域には台輪部２３が構成されており、台輪部２３内は電気機器７の機器配線７０が引き込めるように空洞の配線空間となっている。この配線空間に引き込まれた機器配線７０は、ここから壁面１１に設置されたコンセント（不図示）に接続され、これにより電気機器７に電力を供給することができる。
天板２０の上には、好ましくはカウンター３が載置されており、カウンター３は、キャビネット本体２の左右幅に合わせて形成され、集成材或いは無垢の木などからなる木質材料の板体で構成される。
キャビネット本体２内に設けられる棚板４は、該棚板４の奥行き寸法がキャビネット本体２の奥行き寸法の内寸と略同寸に形成されており、棚板４の前端縁４ａ（図１参照）が側板２１の手前側と略面一となるよう設置される。
図２（ｂ）に示すように棚板４の奥方角部（後端縁４ｂ側角部）には、配線挿通用の貫通孔４０が形成されている。該貫通孔４０は側板２１に沿って形成され、側板２１側を長辺とした長方形状に形成されている。
貫通孔４０の形状は長方形状に限定されず、配線保持具６の筒体部６０やダクト部９の形状や大きさなどに応じて形成され、貫通孔４０は背板２２に沿って形成されるものとしてもよい。
【００１６】
図例の配線保持具６は、中空の筒体部６０の上方側縁部に外向きに屈曲形成された外鍔状の鍔部６１を備えた例を示しており、図２（ａ）に示すように配線保持具６の背面側には、貫通孔４０の鉛直方向に沿って設けられるダクト部９を係止する１対の係止部８が設けられている。
係止部８を除く筒体部６０は、その断面はＵ字形状に形成されており、係止部８と対向する前面と、係止部８０と前面とをつなぐ側面とを有している。また前面と側面とをつなぐ湾曲した角部の一方又は両方には、配線取り出し用の切欠孔部６０ａが形成されている。図では前記角部の両方に形成された例を示している。
筒体部６０の前面には、前方に突出したかえし部６０ｂが形成されている。
配線保持具６は、かえし部６０ｂと鍔部６１の下端面６１ａとで棚板４を挟持する状態で貫通孔４０に取り付けられる。
よって、鍔部６１による貫通孔４０の周縁部への係止、すなわち鍔部６１による棚板４の上面側からの係止と、かえし部６０ｂによる棚板４の下方側からの係止とにより、配線保持具６が貫通孔４０から抜け落ちることなく、またねじなどの取付具を要することなく、配線保持具６を簡易に取り付けることができる。さらにこのようにかえし部６０ｂを有したものとすれば、配線保持具６を取り付けるために棚板４側に加工を施す必要がない。
【００１７】
係止部８は筒体部６０の背面側端部（配線保持具６の設置状態における側板２１側端部）から側板２１に沿うように屈曲して延出形成された１対の板片からなり、配線保持具６の設置状態において、側板２１と接するように配置される（図２（ｂ）参照）。
係止部８を構成する板片は、それぞれ垂直片と、この垂直片から左右に伸びた１対の水平片とを有する略十字型に形成されている。そして、１対の水平片の上側及び下側のそれぞれがダクト部９の縁端部９ａ、９ｂと係合する係合部８ａとして機能する。すなわち、係合部８ａは、一片の係止部８につき、水平方向に１対づつ形成されており、また、各係合部８ａは筒体部６０の配線挿通方向における両方向（図例における上下方向）にも形成されていることになる。
ダクト部９は、例えば、図３に示すように、一方の係止部８の内側の係合部８ａと、他方の係止部８の外側の係合部８ａとによって係止される。
もっとも、ダクト部９の大きさ（太さ）によっては、両方の係止部８の内側の係合部８ａ同士を、又は両方の外側の係合部８ａ同士を用いてダクト部９を係止させてもよい。
【００１８】
係止部８によって係止されるダクト部９は、図２（ｂ）に示すように断面Ｕ字形の角柱状に形成されており、中空部分にダクト部９内に引き込んだ機器配線７０が挿通できるように構成されている。
ダクト部９の長手方向の長さは限定されるものではないが、好ましくは棚板４毎に分割して形成される。
図３に示すようにダクト部９の長手方向の長さをおよそ棚板４と棚板４の間隔より若干短い長さとすれば、ダクト部９とダクト部９との間に空隙が形成され、この空隙を機器配線７０の引き出し或いは取り出しができる配線孔とすることができる。
またこの空隙は、配線保持具６によって隠されるので、ダクト部９の調整代を形成することができる。よって、棚板４が上下方向に可動できるタイプのキャビネット１にも対応することができる。
【００１９】
図２（ｂ）或いは図３には、棚板４の奥方角部に機器配線７０を引き込む配線スペース６ａが形成されるように手前側（図２（ｂ）及び図３における矢印Ｘ方向）にダクト部９が配設された例を示している。
この場合は、棚板４の上方に配設されるダクト部９の下方側縁端部９ａは、手前側の係止部８における切欠空間８ｂに嵌め入れられ外方側の係合部８ａに係止されるとともに、奥側の係止部８における内方側の係合部８ａに載置される状態で係止される。
棚板４を挟んで下方に配設されるダクト部９は、上方に配設されたダクト部９と対合するように設けられ、ダクト部９の上方側縁端部９ｂの一部は、手前側の係止部８における外方側の係合部８ａに係止されるとともに、奥側の係止部８における内方側の係合部８ａが形成されている端部に沿うように配設される。
このようにダクト部９は分割して形成されていても、互いに対合するように設けられる。上下に棚板４によって分割された収納空間に設けられる複数のダクト部９が互いに連なった状態で配設されるので、例えば上段の棚板４に設置された電気機器７の機器配線７０をダクト部９を伝ってスムーズに挿通させ、また下方の台輪部２３の配線空間へ引き込むことができる。
【００２０】
このキャビネット１の配線構造に用いられる配線保持具６によれば、ねじなどの取付具を要することなく、キャビネット本体２内にダクト部９を簡易に取り付けることができる。
また配線保持具６及びダクト部９は取付穴などがない簡易な構成からなり、ダクト部９によって上下方向に配される機器配線７０を露出させることなく、台輪部２３の配線空間へ引き込むことができるので、電気機器７をキャビネット本体２内に設置した状態におけるキャビネット１の見栄えがよい配線構造とすることができる。
さらに本実施形態のように配線保持具６の筒体部６０が貫通孔４０に嵌め入れられるように取り付けた場合は、配線保持具６が目立たず、より一層上記見栄えをよくすることができる。
そしてこの配線保持具６によれば、ダクト部９が１対の係止部８の双方に跨り、外方側の係合部８ａと内方側の係合部８ａに係止される構造としているので、図例のように少なくとも２対の係合部８ａを有するものとすれば、ダクト部９の係止位置を変更することができ、手前側或いは奥側のいずれか一方の所望するところに配線スペース６ａを形成することができる。
また係合部８ａが筒体部６０の配線挿通方向、すなわちダクト部９の挿通方向における両方向に形成されているので、配線保持具６を天地逆にして取り付けることもでき、キャビネット１の構成に応じて設置向きを変えられるフレキシブルな構造となっている。
なお、ここでは固定式の棚板４の例を示しているが、これに限定されず、側板２１の上下方向に複数の孔部を設け、そこにダボ（不図示）を挿入して棚板４の高さ位置が可変可能に取り付けられるものとしてもよい。棚板４の数も図例に限定されるものではない。
【００２１】
次に本発明のキャビネット１の配線構造における第２の実施形態について図５、図６を参照しながら説明する。
なお、図５及び図６では説明のため、電気機器７の図示を省略する。また第１の実施形態と共通する部分には共通の符号を付し、共通する箇所の説明は省略する。
図５に示す配線構造に用いられる配線保持具６は、筒体部６０が鍔部６１を挟んで上方にも形成されている点で第１の実施形態の配線保持具６とは異なる。
また図６に示す配線構造に用いられる配線保持具６は、図５に示す例の変形例であり、上方に形成された筒体部６０にも配線取り出し用の切欠孔部６０ａが形成されている点で図５の例と異なる。
なお、図５及び図６に示す例において、係止部８及び係合部８ａの構成やダクト部９の係止構造は第１の実施形態と同じである。
これらによっても、第１の実施形態と同様に、ねじなどの取付具を要することなく、キャビネット本体２内に設けられるダクト部９を簡易に係止することができ、電気機器７０をキャビネット本体２内に設置した状態における見栄えのよい配線構造とすることができる。
また図５、図６のように筒体部６０を長く形成すればダクト部９をより安定して保持することができ、図６のように切欠孔部６０ａを設けたものとすれば、スムーズに機器配線７０の取り出し（或いは引き込み）を行うことができる。
【００２２】
なお、以上の実施形態では、２個の構成が異なるキャビネット１を並列に設置してなるシステムキャビネット１００に適用した例を示しているが、本発明の配線構造はこの構成に限定されるものではなく、単体のキャビネット或いは３個以上で構成されるシステムキャビネットにも適用可能である。
また配線処理具として示した配線保持具６及びダクト部９の形状、大きさ、構成は図例に限定されるものではない。
さらにキャビネット１は置き設置タイプのものに限定されず、吊り施工タイプのものでもよく、収納キャビネット１の前面に取り付けられる扉体５の配置も図例に限定されず、自由に配置可能に構成されたものとしてもよいことはいうまでもない。
【符号の説明】
【００２３】
１      キャビネット
４      棚板
４０      貫通孔
６      配線保持具
６０      筒体部
６１      鍔部
７０      機器配線
８      係止部
８ａ      係合部
９      ダクト部
【図１】
2011024877.tif 000003
【図２】
2011024877.tif 000004
【図３】
2011024877.tif 000005
【図４】
2011024877.tif 000006
【図５】
2011024877.tif 000007
【図６】
2011024877.tif 000008